(57)【要約】【課題】蓋部を開いた際の慣性力に起因して落下し破損してしまうといった事故を未然に防止できるようにした、携帯電話を提供する。【解決手段】機器本体２と、機器本体２に回動軸３を介して開閉可能に連結された蓋部４とを備えてなる、折り畳み式の携帯電話１である。機器本体２には、回動軸３を保持する本体側保持部５が設けられている。蓋部４には、本体側保持部５と異なる位置において回動軸３を保持する蓋側保持部６が設けられている。機器本体２における蓋側保持部６に対応する位置には、蓋部４が閉じた状態から開く際に蓋部４の蓋側保持部６に摺接して蓋側保持部６との間に摩擦力を発生させ、蓋部４が全開した際に蓋側保持部６または蓋部４に当接して蓋部４の開き動作に伴う慣性力を緩和する緩衝材８が、配設されている。【選択図】図２
0003127367.tif 000002
【実用新案登録請求の範囲】
【請求項１】
機器本体と、該機器本体に回動軸を介して開閉可能に連結された蓋部とを備えてなる、折り畳み式の携帯電話において、
前記機器本体には、前記回動軸を保持する本体側保持部が設けられ、
前記蓋部には、前記本体側保持部と異なる位置において前記回動軸を保持する蓋側保持部が設けられ、
前記機器本体における前記蓋側保持部に対応する位置には、前記蓋部が閉じた状態から開く際に該蓋部の前記蓋側保持部に摺接して該蓋側保持部との間に摩擦力を発生させ、前記蓋部が全開した際に前記蓋側保持部または蓋部に当接して前記蓋部の開き動作に伴う慣性力を緩和する緩衝材が、配設されていることを特徴とする携帯電話。
【請求項２】
前記本体側保持部は、所定の間隔をあけて一対設けられ、
前記蓋側保持部は、前記一対の本体側保持部の間に設けられていることを特徴とする請求項１記載の携帯電話。
【請求項３】
前記緩衝材は、弾性変形可能なエラストマー又は軟質ゴムからなることを特徴とする請求項１又は２に記載の携帯電話。
【請求項４】
前記緩衝材は、湾曲した弾性変形可能な板状体からなっていることを特徴とする請求項１〜３のいずれか一項に記載の携帯電話。
【請求項５】
前記緩衝材は、凸状に湾曲した弾性変形可能な板状体が、凸状側を前記蓋側保持部側に向けて前記機器本体に設けられていることを特徴とする請求項４記載の携帯電話。
【請求項６】
前記緩衝材は、前記機器本体に対して着脱可能に配設されていることを特徴とする請求項１〜５のいずれか一項に記載の携帯電話。
【請求項７】
前記緩衝材は、前記機器本体に形成された凹部内に、着脱可能に配設されていることを特徴とする請求項６記載の携帯電話。
【請求項８】
前記緩衝材は、前記機器本体に対して着脱可能に形成された保持材に設けられていることを特徴とする請求項６記載の携帯電話。
【考案の詳細な説明】
【技術分野】
【０００１】
本考案は、折り畳み式の携帯電話に関する。
【背景技術】
【０００２】
従来、携帯電話として、機器本体と、該機器本体に回動軸を介して開閉可能に連結された蓋部とを備えてなる、折り畳み式のものが知られている。このような携帯電話では、蓋部を開き、機器本体に設けられた各種キーを操作することにより、電話として機能させることができ、さらには、蓋部に設けられた表示画面に各種の表示をなさせることもできるようになっている。
【０００３】
このような折り畳み式の携帯電話では、使用時に閉じた（折り畳まれた）状態から開く必要があるが、このような開くための動作としては、手で蓋部を持って直接行うか、あるいは機器本体の側面部に設けられた開きボタンを押し、自動的に開かせることで行うのが普通である。
【考案の開示】
【考案が解決しようとする課題】
【０００４】
ところで、受信したときなど急いで蓋部を開いた場合に、例えば手で急激に蓋部を開くことにより、開ききった位置（全開位置）において蓋部の開き動作に伴う慣性力が、機器本体側に衝撃となって伝わってしまうことがある。また、開きボタンによって自動的に開かせた場合にも、開き動作をなさせるためのバネ等による付勢力が強いと、やはり機器本体側に大きな衝撃が伝わってしまうことがある。
【０００５】
このようにして衝撃が機器本体に伝わると、この機器本体を持つ手の力が十分に強ければ問題はないが、前記の衝撃を予想せず、機器本体を軽く掴んだだけの状態であると、衝撃力に負けて機器本体を手から落とし、携帯電話を落下・破損してしまうおそれがある。
【０００６】
本考案は前記事情に鑑みてなされたもので、その目的とするところは、蓋部を開いた際の慣性力に起因して落下し破損してしまうといった事故を未然に防止できるようにした、携帯電話を提供することにある。
【課題を解決するための手段】
【０００７】
前記目的を達成するための本考案の携帯電話は、機器本体と、該機器本体に回動軸を介して開閉可能に連結された蓋部とを備えてなる、折り畳み式の携帯電話において、
前記機器本体には、前記回動軸を保持する本体側保持部が設けられ、
前記蓋部には、前記本体側保持部と異なる位置において前記回動軸を保持する蓋側保持部が設けられ、
前記機器本体における前記蓋側保持部に対応する位置には、前記蓋部が閉じた状態から開く際に該蓋部の前記蓋側保持部に摺接して該蓋側保持部との間に摩擦力を発生させ、前記蓋部が全開した際に前記蓋側保持部または蓋部に当接して前記蓋部の開き動作に伴う慣性力を緩和する緩衝材が、配設されていることを特徴としている。
【０００８】
この携帯電話によれば、蓋側保持部に対応する位置に緩衝材を配設したので、蓋部を開いた際、その開き動作中においては該蓋部の前記蓋側保持部に緩衝材を摺接させることにより、該蓋側保持部と緩衝材との間に摩擦力を発生させ、蓋部が開くスピートを抑えることができる。また、蓋部が全開した際には、蓋側保持部または蓋部に当接して蓋部の開き動作に伴う慣性力を緩和するので、この慣性力による機器本体側への衝撃を緩和することができる。
【０００９】
また、前記携帯電話においては、前記本体側保持部が、所定の間隔をあけて一対設けられ、前記蓋側保持部が、前記一対の本体側保持部の間に設けられているのが好ましい。
このようにすれば、緩衝材が一対の本体側保持部の間に隠れることにより、外側に露出する度合いが少なく、その分外観意匠性に有利となる。また、例えば緩衝材を機器本体に対して着脱可能に配設した場合に、この緩衝材が機器本体から不測に外れてしまうことなく、機器本体に確実に保持させることが容易になる。
【００１０】
また、前記携帯電話においては、前記緩衝材が、弾性変形可能なエラストマー又は軟質ゴムからなるのが好ましい。
このようにすれば、エラストマー又は軟質ゴムは比較的摩擦係数が大きいことから、蓋側保持部に対して緩衝材を摺接させた際、該蓋側保持部と緩衝材との間により大きな摩擦力を発生させることができる。また、蓋部が全開した際の慣性力による衝撃も、エラストマー又は軟質ゴムによるクッション効果（弾性変形効果）によってこれをより良好に緩和することができる。
【００１１】
また、前記携帯電話においては、前記緩衝材が、湾曲した弾性変形可能な板状体からなっているのが好ましい。
このようにすれば、特に蓋部が閉じた際の慣性力による衝撃を、緩衝材の弾性変形によるクッション効果によってより良好に緩和することができる。
【００１２】
なお、この携帯電話においては、前記緩衝材は、凸状に湾曲した弾性変形可能な板状体が、凸状側を前記蓋側保持部側に向けて前記機器本体に設けられているのが好ましい。
このようにすれば、安定した状態で機器本体に緩衝材を配設することができ、また蓋部が緩衝材に引っかかることがなく、したがってその開き動作・閉じ動作を円滑になさせることができる。
【００１３】
また、前記携帯電話においては、前記緩衝材が、前記機器本体に対して着脱可能に配設されているのが好ましい。
このようにすれば、例えば緩衝材が摩耗してその機能が低下した際、新たな緩衝材に交換することができる。
【００１４】
なお、この携帯電話においては、前記緩衝材は、前記機器本体に形成された凹部内に、着脱可能に配設されているのが好ましい。
このようにすれば、凹部内に対する緩衝材の着脱を容易にすることができる。
【００１５】
また、この携帯電話においては、前記緩衝材が、前記機器本体に対して着脱可能に形成された保持材に設けられているのが好ましい。
このようにすれば、機器本体に対して保持材ごと緩衝材を着脱させることにより、機器本体の構造を従来通りにしたままで、蓋部を開いた際の慣性力に起因して落下してしまうことを防止することができる。
【考案の効果】
【００１６】
本考案の携帯電話によれば、前述したように緩衝材によって蓋部が開くスピートを抑えることができ、また、蓋部の開き動作に伴う慣性力による機器本体側への衝撃を緩衝材によって緩和することができるので、蓋部を開いた際の慣性力に起因して、持っていた手から落下し破損してしまうといった事故を未然に防止することができる。
【考案を実施するための最良の形態】
【００１７】
以下、本考案を詳しく説明する。
図１は、本考案の携帯電話の一実施形態を示す図であり、図１中符号１は携帯電話である。この携帯電話１は、機器本体２と、該機器本体２に回動軸３を介して開閉可能に連結された蓋部４とを備えてなる、折り畳み式のものである。
【００１８】
機器本体２には、その内面側に、例えばダイヤルや受信等の操作を行うための各種キー（図示せず）や、通話するためのマイク用の音孔（図示せず）が設けられている。また、その上端側には、送受信用のアンテナ（図示せず）が出没可能に設けられている。
さらに、この機器本体２には、図２に示すようにその内面側の上端部に、前記回動軸３を保持する一対の本体側保持部５が一体に形成されている。これら一対の本体側保持部５、５は、所定の間隔をあけて、前記回動軸３の両端部を保持した状態に形成されたものである。
【００１９】
蓋部４には、その内面側に、液晶による表示画面（図示せず）やスピーカ用の音孔（図示せず）が設けられている。また、この蓋部４には、図２に示すようにその上端部に、前記回動軸３を保持する蓋側保持部６が一体に形成されている。この蓋側保持部６は、前記一対の本体側保持部５、５の間に配設されたものである。なお、回動軸３は、一対の本体側保持部５、５、蓋側保持部６のうちの一方に保持固定され、他方に回動可能に保持されたものである。このような構成のもとに蓋部４は、回動軸３を介して機器本体２に回動可能に保持され、すなわち開閉可能に取り付けられたものとなっている。また、蓋部４は、これが機器本体２に対して所定角度に開いた際、該蓋部４自体またはその蓋側保持部６が機器本体２に当接し、それ以上の回動が不能となるように形成されている。すなわち、前記の所定角度に開いた際、蓋部４は全開した状態となるようになっているのである。
【００２０】
また、前記機器本体２には、前記蓋側保持部６に対応する位置、すなわち一対の本体側保持部５、５の間に、図３（ａ）に示すように開口形状が矩形の凹部７が形成されている。そして、この凹部７内には緩衝材８が設けられている。
緩衝材８は、弾性変形可能なエラストマー又は軟質ゴムからなるもので、摩擦係数が大きく、また弾性変形および弾性復帰力によるクッション性を有したものであり、本実施形態では特にシリコンゴムが好適に用いられている。
【００２１】
また、この緩衝材８は、本実施形態ではその中央部がアーチ状に湾曲した板状のもので、この湾曲形状によっても弾性変形および弾性復帰力によるクッション性を発揮できるように形成されたものである。
このような構成からなる緩衝材８は、図３（ａ）、（ｂ）に示すように、そのアーチ状に湾曲してなる部分の凸状部８ａを上、すなわち前記蓋側保持部６の側に向けて前記凹部７内に収容され、平板状に形成された両端部８ｂ、８ｂにて凹部７の底面に接着されたことにより、該凹部７内に保持固定されている。または、凹部７の開口縁がカシメられたことにより、両端部８ｂ、８ｂが凹部７内に保持固定されている。このような構成のもとに緩衝材８は、その凸状部８ａのみを凹部７から突出させ、さらに一対の本体側保持部５、５の間に隠れることにより、外側に露出する度合いが少なく、外観意匠性を損なうことがないようになっている。
【００２２】
ここで、この緩衝材８は、前記蓋部４が閉じた状態において、その凸状部８ａが前記蓋側保持部６に接した状態に設けられている。したがって、蓋側保持部６は、蓋部４が閉じた状態から開く際、常に緩衝材８に接した状態となるようになっている。すなわち、蓋部４が閉じた状態から開く際には、緩衝材８はその凸状部８ａが蓋側保持部６に相対的に摺接し、さらに蓋部４が全開した際には、その凸状部８ａが前記蓋側保持部６または蓋部４に当接するようになっている。
【００２３】
このように、蓋部４が開閉可能（折り畳み可能）に構成されてなる携帯電話１は、非使用時においては蓋部４が閉じられた状態とされる。そして、使用時には、機器本体２の内面の各種キーを操作し、また蓋部４の内面の表示画面を見るため、図１中に矢印で示すように蓋部４を開く。
【００２４】
すると、前記したように機器本体２の前記蓋側保持部６に対応する位置には、該蓋側保持部６に接した状態に緩衝材８が設けられているので、蓋部４を開いた際、その開き動作中において、緩衝材８は該蓋部４の前記蓋側保持部６に相対的に摺接することになる。したがって、緩衝材８は、摺接することによって蓋側保持部６との間に摩擦力を発生し、この摩擦力によって蓋部４が開くスピートを抑えるようになる。
【００２５】
また、蓋部４が機器本体２に対して所定角度開き、全開した際には、図１中二点鎖線で示すように蓋部４またはその蓋側保持部６が緩衝材８の凸状部８ａに当接し、これによって蓋部４の開き動作に伴う慣性力が緩和される。すなわち、緩衝材８の凸状部８ａの湾曲形状によるクッション性（弾性変形性）、さらには緩衝材８の材質によるクッション性（弾性変形性）が発揮されることにより、蓋部４はその慣性力が緩和され、この慣性力による機器本体２側への衝撃が緩和される。
【００２６】
したがって、この携帯電話１にあっては、緩衝材８によって蓋部４が開くスピートを抑えることができ、また、蓋部４の開き動作に伴う慣性力による機器本体２側への衝撃を緩衝材８によって緩和することができるので、蓋部４を開いた際の慣性力に起因して、持っていた手から落下し破損してしまうといった事故を未然に防止することができる。
【００２７】
図４は、本考案の携帯電話の他の実施形態を示す図である。図４に示した携帯電話１０が図１〜図３に示した携帯電話１と異なるところは、主に、緩衝材８を機器本体２に対して着脱可能に構成されている点である。すなわち、この携帯電話１０において緩衝材８は、機器本体２に対して着脱可能に形成された保持材１１に設けられている。
【００２８】
保持材１１は、機器本体２の上端部、すなわち前記一対の本体側保持部５、５が形成された部位の近傍に着脱可能に取り付けられたもので、樹脂や金属からなるものである。この保持材２２は、細板状の長板部１２と、この長板部１２の両端部にて一方の側に折曲してなる折曲部１３、１３と、長板部１２の中央部にてその両側面部から前記折曲部１３と同じ方向に折曲してなる一対の挟持板１４、１４とを備えたものである。ここで、長板部１２はその長さ、すなわち折曲板１３、１３間の距離が、前記機器本体２の横幅にほぼ等しくなっており、長板部１２の幅、すなわち挟持板１４、１４間の距離が、機器本体２の厚さにほぼ等しくなっている。
【００２９】
そして、図４に示したようにその折曲部１３、１３を機器本体２の上端部の側面に嵌め、かつ挟持板１４、１４を一対の本体側保持部５、５間にて機器本体２に嵌めることにより、この保持材１１は機器本体２に着脱可能に取り付けられるようになっている。なお、必要に応じて両面テープ等を用いることにより、機器本体２に保持材１１をより強固に保持固定するようにしてもよい。
【００３０】
また、このような構成からなる保持材１１の、一方の挟持板１４には、前記緩衝材８が設けられている。緩衝材８は、例えば一方の挟持板１４に形成された切欠（図示せず）内にその凸状部８ａが突出し、両端部８ｂ、８ｂが該挟持板１４の内面に接着されて固定されている。なお、挟持板１４の外面側に両端部８ｂ、８ｂが接着されていてもよく、また、両面テープ等によって着脱可能に貼着されていてもよい。
そして、このように緩衝材８を固定した保持材１１は、この緩衝材８を固定した側の挟持板１４が、前記蓋側保持部６に対応させられ、すなわち該蓋側保持部６と機器本体２の上端部との間に嵌め込まれ、これによって緩衝材８が前記蓋側保持部６に対応する位置に配設される。
【００３１】
このように保持材１１に設けられたことにより、機器本体２に間接的に設けられた緩衝材８は、先の実施形態と同様に機能する。すなわち、この緩衝材８によって蓋部４が開くスピートを抑えることができ、また、蓋部４の開き動作に伴う慣性力による機器本体２側への衝撃をこの緩衝材８によって緩和することができる。
したがって、このような構成からなる携帯電話１０にあっても、蓋部４を開いた際の慣性力に起因して、持っていた手から落下し破損してしまうといった事故を未然に防止することができる。
【００３２】
なお、本考案は前記実施形態に限定されることなく、本考案の要旨を逸脱しない範囲で種々の変更が可能である。例えば、図１〜図３に示した実施形態においては、緩衝材８を接着やカシメによって凹部７内に固定するようにしたが、単に凹部７内に嵌め込むだけにし、これによって緩衝材８を凹部７内に着脱可能に保持させるようにしてもよい。
また、図４に示した実施形態においては、その保持材１１の一方の挟持板１４に凹部７を形成し、この凹部７内に緩衝材８を固定し、あるいは着脱可能に設けるようにしてもよい。
【００３３】
さらに、前記実施形態では、本体側保持部５を一対設け、これら本体側保持部５、５間に蓋側保持部６が位置するように形成したが、蓋側保持部を一対設け、これら蓋側保持部間に本体側保持部を設けるようにしてもよい。その場合、緩衝材については、蓋側保持部にそれぞれ対応させるべく、該緩衝材も一対用い、これらを蓋側保持部にそれぞれ対応させて配設するのが好ましい。
また、前記緩衝材８としては、その表面を粗面化して摩擦係数を大きくした、弾性変形可能な金属板等によって形成してもよい。
また、緩衝材を弾性変形可能なエラストマー又は軟質ゴムによって形成した場合、前記したように湾曲した形状とすることなく、単なる板状体のものとしてもよい。
【図面の簡単な説明】
【００３４】
【図１】本考案の携帯電話の一実施形態の概略構成を示す側面図である。
【図２】図１に示した携帯電話の要部斜視図である。
【図３】（ａ）、（ｂ）は緩衝材とその配置状態を説明するための図である。
【図４】本考案の携帯電話の他の実施形態を示す要部斜視図である。
【符号の説明】
【００３５】
１、１０…携帯電話、２…機器本体、３…回転軸、４…蓋部、５…本体側保持部、６…蓋側保持部、７…凹部、８…緩衝材、１１…保持材
【図１】
0003127367.tif 000003
【図２】
0003127367.tif 000004
【図３】
0003127367.tif 000005
【図４】
0003127367.tif 000006